(57)【要約】【課題】納竿時に、摩擦により、振り出し竿が引っ込まなくなったり、継竿が継手穴から抜けなくなったりするトラブルを減らすことができると共に、竿が引っ込まなくなったり抜けなくなったりしても簡単に解消して納竿することにある。【解決手段】継手部を有する振り出し竿又は継竿の継手部分ａの竿の内周側ｂとこれに係止される竿の外周側ｃとの隙間に一部差し込み係止されるものであって、薄い袋２と該袋２内に収納される小径の線状の引抜きピン３とからなると共に、一部差し込み係止時に隙間から外部に突出する引抜きピン３の一端に引き抜き用の引掛孔３ａを設けた。【選択図】        図１
0003118728.tif 000002
【実用新案登録請求の範囲】
【請求項１】
継手部を有する振り出し竿又は継竿の継手部分の竿の内周側とこれに係止される竿の外周側との隙間の一部に差し込み係止されるものであって、薄い袋と該袋内に収納される小径の線状の引抜きピンとからなることを特徴とする釣り竿継手部固着防止具。
【請求項２】
継手部を有する振り出し竿又は継竿の継手部分の竿の内周側とこれに係止される竿の外周側との隙間に一部差し込み係止されるものであって、薄い袋と該袋内に収納される小径の線状の引抜きピンとからなると共に、一部差し込み係止時に隙間から外部に突出する引抜きピンの一端に引き抜き用の引掛孔を設けたことを特徴とする釣り竿継手部固着防止具。
【請求項３】
継手部を有する振り出し竿又は継竿の継手部分の竿の内周側とこれに係止される竿の外周側との隙間に一部差し込み係止されるものであって、薄いシートと該シートの表面にその長さ方向に線状に設けられた凸部とからなることを特徴とする釣り竿継手部固着防止具。
【請求項４】
凸部は薄いシートの片側表面に設けられている請求項３記載の釣り竿継手部固着防止具。
【請求項５】
凸部は薄いシートの両側表面に設けられている請求項３記載の釣り竿継手部固着防止具。
【請求項６】
凸部は薄いシートの幅方向に間を空けて複数設けられている請求項３〜５の何れかに記載の釣り竿継手部固着防止具。
【考案の詳細な説明】
【技術分野】
【０００１】
この考案は、継手部を有する振り出し竿又は継竿において、納竿時に、摩擦により、振り出し竿が引っ込まなくなったり、継竿が継手穴から抜けなくなったりするトラブルを減らすと共にこれらのトラブルが生じても簡単に解消する釣り竿継手部固着防止具に関するものである。
【背景技術】
【０００２】
釣り竿は長い竿の先端に釣り糸を取り付けて魚を釣る場合に使用されるものであるが、長い竿は移動時の持ち運びが不便であり、このため、移動時の持ち運びには短くなるように工夫されている。このような釣り竿としては、振り出し竿と継竿の二種類が主流である。
振り出し竿は、竿が伸縮式つまり短い竿の内部は筒状になってこの内部にこれよりも径が小さい筒状の竿が収納され、収納された筒状の竿の内部にさらにこれより径の小さい筒状の竿が収納され、このように筒状の複数の径が徐々に小さくなった竿が重複状態で収納されていて、竿の根元側を掴んで前方に振り出すと、内部に重複収納されている短い竿が次々に伸び出して長い竿になるものである。
継竿は、複数の短い竿同士を接続して長い竿にする。即ち、最先端に接続される竿を除いて他の短い竿の先端には筒状の継手穴がそれぞれ形成されており、また最も基端側の竿を除いて各竿の後端側は後方の別の竿の先端の継手穴に差し込んで固定できるようになっていて、釣りを行う場合には、各竿の先端の継手穴に前部に接続される別の竿の後端側を順次差し込んで長い竿にするものである。
【考案の開示】
【考案が解決しようとする課題】
【０００３】
しかしながら、振り出し竿あっては、伸びていた竿が使用中に簡単に収縮したりしないように、振り出し伸び時には各継手部に適度の摩擦により収縮しない構造になっている。また、継竿にあっては、接続していた竿の一部が抜けて外れたりするのを防ぐために、継手穴に強く差し込んで強固に接続している。その結果、納竿時に、摩擦により、振り出し竿は引っ込まなくなったり、継竿の場合には継手穴から抜けなくなったりすることがあった。
【０００４】
この考案は、上記のような課題に鑑み、その課題を解決すべく創案されたものであって、その目的とするところは、納竿時に、摩擦により、振り出し竿が引っ込まなくなったり、継竿が継手穴から抜けなくなったりするトラブルを減らすことができると共に、竿が引っ込まなくなったり抜けなくなったりしても簡単に解消して納竿することのできる釣り竿継手部固着防止具を提供することにある。
【課題を解決するための手段】
【０００５】
以上の目的を達成するために、請求項１の考案は、継手部を有する振り出し竿又は継竿の継手部分の竿の内周側とこれに係止される竿の外周側との隙間の一部に差し込み係止されるものであって、薄い袋と該袋内に収納される小径の線状の引抜きピンとからなる手段よりなるものである。
【０００６】
また、請求項２の考案は、継手部を有する振り出し竿又は継竿の継手部分の竿の内周側とこれに係止される竿の外周側との隙間に一部差し込み係止されるものであって、薄い袋と該袋内に収納される小径の線状の引抜きピンとからなると共に、一部差し込み係止時に隙間から外部に突出する引抜きピンの一端に引き抜き用の引掛孔を設けた手段よりなるものである。
【０００７】
また、請求項３の考案は、継手部を有する振り出し竿又は継竿の継手部分の竿の内周側とこれに係止される竿の外周側との隙間に一部差し込み係止されるものであって、薄いシートと該シートの表面にその長さ方向に線状に設けられた凸部とからなる手段よりなるものである。
【０００８】
ここで、請求項３の好ましい態様として、凸部は薄いシートの片側表面に形成されていてもよく、また、凸部は薄いシートの両側表面に設けられていてもよく、さらに、凸部は薄いシートの幅方向に間を空けて複数設けられていてもよい。
【考案の効果】
【０００９】
以上の記載より明らかなように、請求項１，２の考案に係る釣り竿継手部固着防止具によれば、継手部分の接触摩擦面を小さくすることで、振り出し竿又は継竿の納竿時に、摩擦により、振り出し竿が引っ込まなくなったり、継竿が継手穴から抜けなくなったりするトラブルを減らすことができると共に、摩擦により、振り出し竿が引っ込まなくなったり、継竿が継手穴から抜けなくなったりした場合には、継手部分の竿の内周側と竿の外周側との隙間の一部に差し込み係止していた薄い袋を破り、袋内から引抜きピンを引き抜くと、引抜きピンの直径分だけの遊び隙間が生じるので摩擦が緩和されて、振り出し竿を容易に引っ込めることができ、或いは継竿を継手穴から容易に引き抜くことができ、容易に納竿することができる。
また、引抜きピンは袋内に入っていて、引抜きピンの側面が直に継手部分の内周側と竿の外周側に接していないので、引抜きピンを引き抜く際の摩擦によって継手部分の内周側や竿の外周側を傷つけることなく、引抜きピンを袋内から容易に引き抜くことができる。
【００１０】
これに加えて、請求項２の考案にあっては、引抜きピンを引き抜く際には引き抜き用の引掛孔に例えば引っ掛け棒などの先端側を挿入したり、ペンチなどで挟んだりすることで、容易に引抜きピンを引き抜くことができる。
【００１１】
また、請求項３〜６の考案に係る釣り竿継手部固着防止具によれば、継手部分の接触摩擦面を小さくすることで、振り出し竿又は継竿の納竿時に、摩擦により、振り出し竿が引っ込まなくなったり、継竿が継手穴から抜けなくなったりするトラブルを減らすことができると共に、摩擦により、振り出し竿が引っ込まなくなったり、継竿が継手穴から抜けなくなったりした場合には、継手部分の竿の内周側と外周側との隙間の一部に差し込み係止していた薄いシートと該シートの表面にその長さ方向に線状に設けられた凸部とからなる竿継手部固着防止具を引き抜くと、凸部の厚み分だけの遊び隙間が生じるので摩擦が緩和されて、振り出し竿を容易に引っ込めることができ、或いは継竿を継手穴から容易に引き抜くことができ、容易に納竿することができる。
また、薄いシートの表面にその長さ方向に線状に設けられた凸部は、継手部分の竿の内周側又は外周側の表面との接触が線状の接触であり、その接触面積が小さいため、竿継手部固着防止具を継手部分の竿の内周側と外周側との隙間から引き抜く際の摩擦抵抗も小さくすることができ、その引き抜きを容易にすることができる等、極めて実用的有益なる効果を奏するものである。
【考案を実施するための最良の形態】
【００１２】
以下、図面に記載の考案を実施するための最良の形態に基づいて、この考案をより具体的に説明する。
【００１３】
〔最良の形態−１〕
ここで、図１は釣り竿継手部固着防止具差し込み時の竿の継手部分の部分拡大斜視図、図２（Ａ）は釣り竿継手部固着防止具差し込み時の竿の継手部分の部分拡大縦断面図、図２（Ｂ）は釣り竿継手部固着防止具差し込み時の竿の継手部分の部分拡大横断面図、図３（Ａ）は釣り竿継手部固着防止具の一部切り欠き斜視図、図３（Ｂ）は釣り竿継手部固着防止具の断面図、図４は引抜きピンの引き抜き時の部分拡大側面図である。
【００１４】
図において、釣り竿継手部固着防止具１は、継手部を有する振り出し竿又は継竿の継手部分ａの竿の内周側ｂとこれに係止される竿の外周側ｃとの隙間に一部差し込み係止されるものであって、薄い袋２と該袋２内に収納される小径の線状の引抜きピン３とから構成される。
【００１５】
釣り竿継手部固着防止具１は、継手部分ａの接触摩擦面を小さくすることで、振り出し竿又は継竿の納竿時に、摩擦により、振り出し竿が引っ込まなくなったり、継竿が継手穴から抜けなくなったりするトラブルを減らすと共に、摩擦により、振り出し竿が引っ込まなくなったり、継竿が継手穴から抜けなくなったりした場合に、竿の内周側ｂとこれに係止される竿の外周側ｃとの隙間に一部差し込み係止された薄い袋２内の引抜きピン３が引き抜かれることで、引抜きピン３の厚み分だけの遊び隙間が生じることで摩擦を緩和して、振り出し竿を容易に引っ込めるようにし、或いは継竿を継手穴から容易に引き抜くようにするものである。
【００１６】
薄い袋２は、その内部に引抜きピン３を収納する袋で、引抜きピン３を収納した状態で、引き出された竿又は継ぐために接続された継手部分ａの竿の内周側ｂと竿の外周側ｃとの僅かな隙間に、一部が露出した状態で差し込まれて係止される。
【００１７】
薄い袋２は、引抜きピン３が竿の内周側ｂや竿の外周側ｃに直接触れてその表面を傷つけるのを防ぐ機能を果たし、また、引抜きピン３が竿の表面に直接触れていないことで、引抜きピン３を抜くときの接触摩擦抵抗を小さくして抜け易くする機能も果たす。
【００１８】
薄い袋２は、その厚みが引抜きピン３の直径に比べて非常に薄く例えば0.03mm程度であり、また、内部の引抜きピン３を抜き出す際には簡単に引き裂くことができる軟質で柔軟性があり、さらに内部に収納した引抜きピン３が外部から見えるように透明な例えばビニール製のものからなる。
【００１９】
薄い袋２は引抜きピン３が収納し易い例えば長方形状の形状を有している。引抜きピン３を収納した状態で引抜きピン３が薄い袋２から出ないように、薄い袋２の長方形の周囲の４辺は封止されている。
【００２０】
引抜きピン３は、前記の薄い袋２の内部に収納された状態で、引き出された竿又は継ぐために接続された継手部分ａの竿の内周側ｂと竿の外周側ｃとの僅かな隙間に、一部が露出した状態で差し込まれて係止される。
【００２１】
引抜きピン３は、引き出された竿又は継ぐために接続された継手部分ａの竿の内周側ｂと竿の外周側ｃとの僅かな隙間に差し込まれることで、ピンの直径分だけの僅かな隙間を継手部分ａの竿の内周側ｂと竿の外周側ｃとの間に強制的に造り出す。また、引抜きピン３が差し込まれることで、継手部分ａの竿の内周側ｂと竿の外周側ｃとの接触摩擦面を小さくして、納竿時に外れ易くする。
【００２２】
その一方、納竿時に、摩擦により、振り出し竿が引っ込まなくなったり、継竿が継手穴から抜けなくなったりしたときには、引抜きピン３を引き抜くことで、引抜きピン３の直径に相当する隙間を継手部分ａの竿の内周側ｂと竿の外周側ｃとの間に遊嵌状に造り出して、簡単にそのトラブルを解消して、振り出し竿は引っ込み、継竿は継手穴から抜けるようにする。
【００２３】
引抜きピン３は、細長な線状の外形をしており、その断面は小径の例えば円形断面であり、小径な円形の直径は例えば約0.4〜0.5mm前後であり、また、抜き出す際には簡単に引きちぎれないように一定の引っ張り強度を有する金属製例えばステンレス製のものからなる。
【００２４】
引抜きピン３は、細長な線状の例えば円柱外形をしており、引き抜く際に摩擦抵抗が小さくなるように、また、引き抜く際に竿の内周側ｂ又は竿の外周側ｃを傷つけないように、その側周面は滑らかな表面に形成されている。
【００２５】
また、引抜きピン３には、隙間に差し込んだときに隙間から外部に突出する一端に引き抜き用の引掛孔３ａが必要に応じて設けられている。引抜きピン３を引き抜く場合に、この引掛孔３ａに例えば引っ掛け棒の先端側を挿入したり、ペンチなどで挟むことで、簡単に引抜きピン３を引き抜くことができる。
【００２６】
次に、上記考案を実施するための最良の形態の構成に基づく作用について以下説明する。
納竿時に継手部分ａの竿の内周側ｂと竿の外周側ｃとの摩擦抵抗で、振り出し竿が引っ込まなくなったり、継竿が継手穴から抜けなくなるおそれがある箇所の継手部分ａの竿の内周側ｂと竿の外周側ｃとの隙間に、薄い袋２に収納された引抜きピン３をそれぞれ差し込む。
【００２７】
薄い袋２に収納された引抜きピン３をそれぞれ差し込む場合、一部が外部に露出するようにして差し込む。引抜きピン３の一端に引掛孔３ａが設けられている場合には、引掛孔３ａが外部に露出するようにして薄い袋２に入った引抜きピン３を差し込み、その後、振り出し竿にあっては内側の竿を強く引き出し、継竿にあっては穴部に継用の竿の端部を強く差し込む。
【００２８】
継手部分ａから外部に突出する薄い袋２に収納された引抜きピン３の突出側を手元側に折り曲げて、折り曲げた先端側を例えばテープｄなどで竿の外周側に一時的に止めておき、魚釣り時に薄い袋２に収納された引抜きピン３の突出側が釣りの邪魔にならないようにする。このような作業をした後、魚釣りを行う。
【００２９】
魚釣りが終わり、納竿する場合において、振り出し竿にあっては、それぞれ前側の竿を後ろ側の竿内に順次押し込む。薄い袋２に収納された引抜きピン３を差し込んだ手元側の竿の継手部分ａでも、取り敢えず、前側の竿を後ろ側の竿内に押し込む。このとき、前側の竿が後ろ側の竿内に押し込める場合には押し込んだ後に、テープｄを取り外してテープｄで止めていた薄い袋２に収納された引抜きピン３を竿から取り外す。
【００３０】
これに対して、薄い袋２に収納された引抜きピン３を差し込んだ手元側の竿の継手部分ａで、前側の竿が後ろ側の竿内に押し込めない場合には、テープｄを取り外してテープｄで止めていた薄い袋２に収納された引抜きピン３の突出側を折り戻す。そして、外部に突出する部分に引掛孔３ａが設けられている場合には、その部分の薄い袋２の一部を引きちぎり、引掛孔３ａの内部に例えば引っ掛け棒の先端側を挿入して、引抜きピン３を引き抜く。また、外部に突出する部分に引掛孔３ａが設けられていない場合には、ペンチなどの道具を使って、薄い袋２に入っている引抜きピン３の突出側を挟んで引き抜く。
【００３１】
継手部分ａの竿の内周側ｂと竿の外周側ｃとの隙間から引抜きピン３が引き抜かれると、引抜きピン３の小径な直径の大きさに相当する分の隙間が継手部分ａの竿の内周側ｂと竿の外周側ｃとの間に生じ、これにより、継手部分ａの竿の内周側ｂと竿の外周側ｃとの接触摩擦抵抗が小さくなり、簡単に前側の竿を後ろ側の竿内に押し込むことができる。押し込んだ後、あるいは押し込む途中で、継手部分ａの竿の内周側ｂと竿の外周側ｃとの隙間に残る薄い袋２の一部を抜き出す。
【００３２】
また、継竿にあっては、それぞれ前側の竿を後ろ側の竿の継手穴から順次引き抜く。薄い袋２に収納された引抜きピン３を差し込んだ手元側の竿の継手部分ａでも、取り敢えず、前側の竿を後ろ側の竿の継手穴から引き抜く。このとき、前側の竿を後ろ側の竿から引き抜く場合には抜いた後に、テープｄを取り外してテープｄで止めていた薄い袋２に収納された引抜きピン３を竿から取り外す。
【００３３】
これに対して、薄い袋２に収納された引抜きピン３を差し込んだ手元側の竿の継手部分ａで、前側の竿を後ろ側の竿の継手穴から引き抜くことができない場合には、テープｄを取り外してテープｄで止めていた薄い袋２に収納された引抜きピン３の突出側を折り戻す。そして、外部に突出する部分に引掛孔３ａが設けられている場合には、その部分の薄い袋２の一部を引きちぎり、引掛孔３ａの内部に例えば引っ掛け棒の先端側を挿入して、引抜きピン３を引き抜く。また、外部に突出する部分に引掛孔３ａが設けられていない場合には、ペンチなどの道具を使って、薄い袋２に入っている引抜きピン３の突出側を挟んで引き抜く。
【００３４】
継手部分ａの竿の内周側ｂと竿の外周側ｃとの隙間から引抜きピン３が引き抜かれると、引抜きピン３の小径な直径の大きさに相当する分の隙間が継手部分ａの竿の内周側ｂと竿の外周側ｃとの間に生じ、これにより、継手部分ａの竿の内周側ｂと竿の外周側ｃとの接触摩擦抵抗が小さくなり、簡単に前側の竿を後ろ側の竿の継手穴から引き抜くことができる。引き抜いた後、あるいは引き抜く途中で、継手部分ａの竿の内周側ｂと竿の外周側ｃとの隙間に残る薄い袋２の一部を抜き出す。
【００３５】
以上のようにして、振り出し竿を容易に引っ込めることができ、或いは継竿を継手穴から容易に引き抜くことができ、容易に納竿することができる。
【００３６】
〔最良の形態−２〕
ここで、図５は釣り竿継手部固着防止具差し込み時の竿の継手部分の部分拡大斜視図、図６（Ａ）は釣り竿継手部固着防止具差し込み時の竿の継手部分の部分拡大縦断面図、図６（Ｂ）は釣り竿継手部固着防止具差し込み時の竿の継手部分の部分拡大横断面図、図７（Ａ）〜（Ｃ）は釣り竿継手部固着防止具の斜視図、図８（Ａ）〜（Ｇ）は釣り竿継手部固着防止具の断面図、図９（Ａ）は薄いシート表面に多数の凸部が設けられた釣り竿継手部固着防止具の斜視図、図９（Ｂ）は釣り竿継手部固着防止具を継手部分の全周に差し込み時の竿の継手部分の部分拡大斜視図、図１０は釣り竿継手部固着防止具の引き抜き時の部分拡大側面図である。
【００３７】
図において、釣り竿継手部固着防止具１１は、継手部を有する振り出し竿又は継竿の継手部分ａの竿の内周側ｂとこれに係止される竿の外周側ｃとの隙間に一部挿入係止されるものであって、薄いシート１２と該シート１２の表面にその長さ方向に線状に設けられた凸部１３とから構成される。
【００３８】
釣り竿継手部固着防止具１１は、継手部分ａの接触摩擦面を小さくすることで、振り出し竿又は継竿の納竿時に、摩擦により、振り出し竿が引っ込まなくなったり、継竿が継手穴から抜けなくなったりするトラブルを減らすと共に、摩擦により、振り出し竿が引っ込まなくなったり、継竿が継手穴から抜けなくなったりした場合に、竿の内周側ｂとこれに係止される竿の外周側ｃとの隙間に一部挿入係止された薄いシート１２の表面に線状に設けられた凸部１３が引き抜かれることで、凸部１３の厚み分だけの遊び隙間が生じることで摩擦を緩和して、振り出し竿を容易に引っ込めるようにし、或いは継竿を継手穴から容易に引き抜くようにするものである。
【００３９】
薄いシート１２は、その表面に長さ方向に線状に凸部１３が設けられるシートで、その表面に長さ方向に線状に凸部１３が設けられた状態で、引き出された竿又は継ぐために接続された継手部分ａの竿の内周側ｂと竿の外周側ｃとの僅かな隙間に、一部が露出した状態で差し込まれて係止される。
【００４０】
薄いシート１２は、その厚みが凸部１３の直径に比べて非常に薄く例えば0.03mm程度であり、また、凸部１３を抜き出す際には抵抗にならない軟質で柔軟性があり、さらに表面に設けた凸部１３が裏面から見えるように透明な例えばビニール製のものからなる。
【００４１】
薄いシート１２は、凸部１３を長さ方向に真っ直ぐな線状に保持するための役目を果たすものである。凸部１３に薄いシート１２とは別体の後記の例えばフロロカーボン製の釣り糸が使用される場合には、その表面にフロロカーボン製の釣り糸からなる凸部１３が長さ方向に真っ直ぐな線状の状態で接着剤などにより固着して設けられる。
【００４２】
上記のように凸部１３と薄いシート１２とが別体からなる場合以外に、薄いシート１２の表面の一部を凸状に突出成形して長さ方向に真っ直ぐな線状の凸部１３が形成される場合もある。
【００４３】
また、図８（Ａ）〜（Ｇ）に図示するように、凸部１３は、薄いシート１２の表面の片面側にのみ設けられる場合以外に、薄いシート１２の表面の両面側、つまり表面とその裏側の裏面との両側に設けられる場合もある。さらに、凸部１３は薄いシート１２の中央に一本だけ設けられる場合以外に、薄いシート１２の幅方向に間を空けて２本以上の複数設けられることもある。薄いシート１２の両面側に凸部１３が設けられたものにあっては、両面側の凸部１３の位置が同じ位置であったり、異なった位置にあるものもある。
【００４４】
表面に線状の凸部１３が設けられた薄いシート１２は、図７に図示するように線状の凸部１３の取り付け方向に対して直交方向となるその幅が最初から一定の幅の状態になっているもの以外に、図９（Ａ）に図示するように使用者が任意の幅で切断して使用できるように幅方向が非常に長くなっているものもある。
【００４５】
このように、薄いシート１２の幅は短いものから長いものまであり、短い幅の薄いシート１２にあっては、引き出された竿又は継ぐために接続された継手部分ａの竿の内周側ｂと竿の外周側ｃとの僅かな隙間の一部に差し込まれ、図９（Ｂ）に図示するように長い幅の薄いシート１２にあって隙間の全周に巻かれるようにして差し込まれる。
【００４６】
図９（Ｂ）に図示するように継手部分ａの竿の内周側ｂと竿の外周側ｃとの僅かな隙間の全周に薄いシート１２が差し込まれる場合には、その表面の線状の凸部１３は全周に対して等間隔で配置されることになり、継手部分ａの竿の内周側ｂと竿の外周側ｃとは薄いシート１２と複数の凸部１３によって、完全に非接触状態になり、竿の内周側ｂ及び竿の外周側ｃはそれぞれ複数の凸部１３との線状接触となり、接触状態のときの面摩擦から非接触状態の線状摩擦になり、継手部分ａの竿の内周側ｂと竿の外周側ｃとの摩擦抵抗を小さくすることができる。
【００４７】
線状の凸部１３を構成するものとして、例えばナイロンをカーボン加工したフロロカーボン製の釣り糸などが使用される。フロロカーボン製の釣り糸は伸びが小さくしかも引っ張り強度も高い性質があり、引き抜く際に簡単に切れることはない。
【００４８】
線状の凸部１３を構成するフロロカーボン製の釣り糸は、薄いシート１２の表面の片面側或いは両面側に接着された状態で、引き出された竿又は継ぐために接続された継手部分ａの竿の内周側ｂと竿の外周側ｃとの僅かな隙間に、一部が露出した状態で差し込まれて係止される。
【００４９】
薄いシート１２の表面にその長さ方向に線状に設けられた凸部１３は、引き出された竿又は継ぐために接続された継手部分ａの竿の内周側ｂと竿の外周側ｃとの僅かな隙間に差し込まれることで、凸部１３の直径分だけの僅かな隙間を継手部分ａの竿の内周側ｂと竿の外周側ｃとの間に強制的に造り出す。また、線状の凸部１３が差し込まれることで、継手部分ａの竿の内周側ｂと竿の外周側ｃとの接触摩擦面を小さくして、納竿時に外れ易くする。
【００５０】
その一方、納竿時に、摩擦により、振り出し竿が引っ込まなくなったり、継竿が継手穴から抜けなくなったりしたときには、線状の凸部１３を引き抜くことで、凸部１３の直径に相当する隙間を継手部分ａの竿の内周側ｂと竿の外周側ｃとの間に遊嵌状に造り出して、簡単にそのトラブルを解消して、振り出し竿は引っ込み、継竿は継手穴から抜けるようにする。
【００５１】
線状の凸部１３は、細長な線状の外形をしており、前記のフロロカーボン製の釣り糸を使用する場合その断面は小径の略円形断面であり、小径な円形の直径は例えば約0.3〜0.4mm前後である。
【００５２】
線状の凸部１３は、図７（Ａ）に図示するように細長な線状の例えば円柱外形をしており、引き抜く際に摩擦抵抗が小さくなるように、また、引き抜く際に竿の内周側ｂ又は竿の外周側ｃを傷つけないように、その側周面は滑らかな表面に形成されている。
【００５３】
線状の凸部１３が薄いシート１２の表面に凸状に一体成形されるものにあっては、図７（Ｂ）（Ｃ）に図示するように、凸部１３の断面は円形でなく半円形或いは蒲鉾型であったり、三角形型であることもあり、円形断面に限定されない。
【００５４】
次に、上記考案を実施するための最良の形態の構成に基づく作用について以下説明する。
納竿時に継手部分ａの竿の内周側ｂと竿の外周側ｃとの摩擦抵抗で、振り出し竿が引っ込まなくなったり、継竿が継手穴から抜けなくなるおそれがある箇所の継手部分ａの竿の内周側ｂと竿の外周側ｃとの隙間に、表面に線状の凸部１３が長さ方向に設けられた薄いシート１２をそれぞれ差し込む。
【００５５】
表面に線状の凸部１３が長さ方向に設けられた薄いシート１２をそれぞれ差し込む場合、一部が外部に露出するようにして差し込む。差し込んだ後、振り出し竿にあっては内側の竿を強く引き出し、継竿にあっては穴部に継用の竿の端部を強く差し込む。
【００５６】
継手部分ａから外部に突出する薄いシート１２及びその表面の線状の凸部１３の突出側を手元側に折り曲げて、折り曲げた先端側を例えばテープｄなどで竿の外周側に一時的に止めておき、魚釣り時に薄いシート１２及びその表面の線状の凸部１３の突出側が釣りの邪魔にならないようにする。このような作業をした後、魚釣りを行う。
【００５７】
魚釣りが終わり、納竿する場合において、振り出し竿にあっては、それぞれ前側の竿を後ろ側の竿内に順次押し込む。薄いシート１２及びその表面の線状の凸部１３を差し込んだ手元側の竿の継手部分ａでも、取り敢えず、前側の竿を後ろ側の竿内に押し込む。このとき、前側の竿が後ろ側の竿内に押し込める場合には押し込んだ後に、テープｄを取り外してテープｄで止めていた薄いシート１２及びその表面の線状の凸部１３を竿から取り外す。
【００５８】
これに対して、薄いシート１２及びその表面の線状の凸部１３を差し込んだ手元側の竿の継手部分ａで、前側の竿が後ろ側の竿内に押し込めない場合には、テープｄを取り外してテープｄで止めていた薄いシート１２及びその表面の線状の凸部１３の突出側を折り戻す。そして、ペンチなどの道具を使って、薄いシート１２及びその表面の線状の凸部１３の突出側を挟んで引き抜く。
【００５９】
継手部分ａの竿の内周側ｂと竿の外周側ｃとの隙間から線状の凸部１３が引き抜かれると、線状の凸部１３の小径な直径の大きさに相当する分の隙間が継手部分ａの竿の内周側ｂと竿の外周側ｃとの間に生じ、これにより、継手部分ａの竿の内周側ｂと竿の外周側ｃとの接触摩擦抵抗が小さくなり、簡単に前側の竿を後ろ側の竿内に押し込むことができる。押し込んだ後、あるいは押し込む途中で、継手部分ａの竿の内周側ｂと竿の外周側ｃとの隙間に残る薄いシート１２及びその表面の線状の凸部１３の一部を抜き出す。
【００６０】
また、継竿にあっては、それぞれ前側の竿を後ろ側の竿の継手穴から順次引き抜く。薄いシート１２及びその表面の線状の凸部１３を差し込んだ手元側の竿の継手部分ａでも、取り敢えず、前側の竿を後ろ側の竿の継手穴から引き抜く。このとき、前側の竿を後ろ側の竿から引き抜く場合には抜いた後に、テープｄを取り外してテープｄで止めていた薄いシート１２及びその表面の線状の凸部１３を竿から取り外す。
【００６１】
これに対して、薄いシート１２及びその表面の線状の凸部１３を差し込んだ手元側の竿の継手部分ａで、前側の竿を後ろ側の竿の継手穴から引き抜くことができない場合には、テープｄを取り外してテープｄで止めていた薄いシート１２及びその表面の線状の凸部１３の突出側を折り戻す。そして、ペンチｅなどの道具を使って、薄いシート１２及びその表面の線状の凸部１３の突出側を挟んで引き抜く。
【００６２】
継手部分ａの竿の内周側ｂと竿の外周側ｃとの隙間から線状の凸部１３が引き抜かれると、線状の凸部１３の小径な直径の大きさに相当する分の隙間が継手部分ａの竿の内周側ｂと竿の外周側ｃとの間に生じ、これにより、継手部分ａの竿の内周側ｂと竿の外周側ｃとの接触摩擦抵抗が小さくなり、簡単に前側の竿を後ろ側の竿の継手穴から引き抜くことができる。引き抜いた後、あるいは引き抜く途中で、継手部分ａの竿の内周側ｂと竿の外周側ｃとの隙間に残る薄いシート１２及びその表面の線状の凸部１３の一部を抜き出す。
【００６３】
以上のようにして、振り出し竿を容易に引っ込めることができ、或いは継竿を継手穴から容易に引き抜くことができ、容易に納竿することができる。
【００６４】
なお、この考案は上記考案を実施するための最良の形態に限定されるものではなく、この考案の精神を逸脱しない範囲で種々の改変をなし得ることは勿論である。
【図面の簡単な説明】
【００６５】
【図１】この考案を実施するための最良の形態−１における釣り竿継手部固着防止具差し込み時の竿の継手部分の部分拡大斜視図である。
【図２】（Ａ）はこの考案を実施するための最良の形態−１における釣り竿継手部固着防止具差し込み時の竿の継手部分の部分拡大縦断面図である。  （Ｂ）はこの考案を実施するための最良の形態−１における釣り竿継手部固着防止具差し込み時の竿の継手部分の部分拡大横断面図である。
【図３】（Ａ）はこの考案を実施するための最良の形態−１における釣り竿継手部固着防止具の一部切り欠き斜視図である。  （Ｂ）はこの考案を実施するための最良の形態−１における釣り竿継手部固着防止具の断面図である。
【図４】この考案を実施するための最良の形態−１における引抜きピンの引き抜き時の部分拡大側面図である。
【図５】この考案を実施するための最良の形態−２における釣り竿継手部固着防止具差し込み時の竿の継手部分の部分拡大斜視図である。
【図６】（Ａ）はこの考案を実施するための最良の形態−２における釣り竿継手部固着防止具差し込み時の竿の継手部分の部分拡大縦断面図である。  （Ｂ）はこの考案を実施するための最良の形態−２における釣り竿継手部固着防止具差し込み時の竿の継手部分の部分拡大横断面図である。
【図７】（Ａ）〜（Ｃ）はこの考案を実施するための最良の形態−２における釣り竿継手部固着防止具の斜視図である。
【図８】（Ａ）〜（Ｇ）はこの考案を実施するための最良の形態−２における釣り竿継手部固着防止具の断面図である。
【図９】（Ａ）はこの考案を実施するための最良の形態−２における薄いシート表面に多数の凸部が設けられた釣り竿継手部固着防止具の斜視図である。  （Ｂ）はこの考案を実施するための最良の形態−２における釣り竿継手部固着防止具を継手部分の全周に差し込み時の竿の継手部分の部分拡大斜視図である。
【図１０】この考案を実施するための最良の形態−２における釣り竿継手部固着防止具の引き抜き時の部分拡大側面図である。
【符号の説明】
【００６６】
１    釣り竿継手部固着防止具
２    薄い袋
３    引抜きピン
３ａ  引掛孔
１１    釣り竿継手部固着防止具
１２    薄いシート
１３    凸部
ａ    継手部分
ｂ    竿の内周側
ｃ    竿の外周側
ｄ    テープ
ｅ    ペンチ
【図１】
0003118728.tif 000003
【図２】
0003118728.tif 000004
【図３】
0003118728.tif 000005
【図４】
0003118728.tif 000006
【図５】
0003118728.tif 000007
【図６】
0003118728.tif 000008
【図７】
0003118728.tif 000009
【図８】
0003118728.tif 000010
【図９】
0003118728.tif 000011
【図１０】
0003118728.tif 000012